【手続補正書】
【提出日】平成27年12月22日(2015.12.22)
【手続補正１】
【補正対象書類名】特許請求の範囲
【補正対象項目名】全文
【補正方法】変更
【補正の内容】
【特許請求の範囲】
【請求項１】
光電変換によって電気信号を出力する複数の画素を有する２個以上の共有画素が２次元に配列された画素アレイ部と、
前記共有画素の配列のうちの、複数行の共有画素から同時に読み出される電気信号を処理するカラム処理部と、
前記共有画素が有する前記画素から前記電気信号を読み出すためのアクセス制御として、前記複数行のうちの１の行と他の１の行とで、異なるアクセス制御を行う行制御部と
を備えるイメージセンサ。
【請求項２】
前記共有画素の１列に対して、複数の列信号線が配線され、
前記共有画素から読み出された電気信号は、前記列信号線を介して、前記カラム処理部に供給される
請求項１に記載のイメージセンサ。
【請求項３】
前記カラム処理部は、前記列信号線の一端側と他端側とに設けられている
請求項２に記載のイメージセンサ。
【請求項４】
前記共有画素の１列に対して、２本の列信号線が配線され、
前記２本の列信号線のうちの１本の列信号線は、奇数行の共有画素に接続され、
前記２本の列信号線のうちの他の１本の列信号線は、偶数行の共有画素に接続され、
前記カラム処理部は、奇数行と偶数行との２行の各列の共有画素から同時に読み出される電気信号をAD(Analog Digital)変換するAD変換部を有し、
前記列信号線の一端側に設けられた前記カラム処理部は、
前記共有画素の列数と同一の数の前記AD変換部を有し、
前記１本の列信号線を介して供給される前記奇数行の共有画素からの電気信号をAD変換し、
前記列信号線の他端側に設けられた前記カラム処理部は、
前記共有画素の列数と同一の数の前記AD変換部を有し、
前記他の１本の列信号線を介して供給される前記偶数行の共有画素からの電気信号をAD変換し、
前記行制御部は、前記奇数行の共有画素と、前記偶数行の共有画素とで、異なる位置の画素の電気信号を読み出すためのアクセス制御を行う
請求項３に記載のイメージセンサ。
【請求項５】
前記共有画素が有する複数の画素は、FD(Floating Diffusion)を共有し、
前記行制御部は、前記FDを共有する複数の画素のうちの２以上の画素から前記電気信号を同時に読み出すアクセス制御を行うことで、前記２以上の画素から同時に読み出された前記電気信号が前記FDで加算されるFD加算により得られる加算信号を、前記共有画素から読み出す
請求項１ないし４のいずれかに記載のイメージセンサ。
【請求項６】
前記行制御部は、前記カラム処理部の処理で画素値が得られる画素の垂直方向の間隔を略等間隔にする前記FD加算が行われるように、前記アクセス制御を行う
請求項５に記載のイメージセンサ。
【請求項７】
前記行制御部は、１行の１の列と他の列とでも、異なるアクセス制御を行う
請求項１ないし６のいずれかに記載のイメージセンサ。
【請求項８】
前記行制御部は、複数の異なる行の、同一の列信号線に接続されている複数の共有画素から前記電気信号を同時に読み出すアクセス制御を行うことで、前記複数の共有画素から同時に読み出された前記電気信号を前記列信号線上で加算して、前記カラム処理部に供給する
請求項４ないし６のいずれかに記載のイメージセンサ。
【請求項９】
前記カラム処理部は、
前記列信号線の一端側に設けられており、
前記複数行の各列の共有画素から同時に読み出される電気信号をAD(Analog Digital)変換するAD変換部として、前記共有画素の列数に、前記複数行を乗算した乗算値だけの数のAD変換部を有する
請求項２に記載のイメージセンサ。
【請求項１０】
前記カラム処理部に並列に接続された複数のキャパシタと、前記複数のキャパシタの中から、前記列信号線に接続するキャパシタを選択するスイッチとが設けられている場合に、前記行制御部は、複数の異なる行の共有画素から前記電気信号を同時に読み出すアクセス制御を行うことで、前記複数の異なる行の共有画素から同時に読み出された前記電気信号を前記列信号線に接続されたキャパシタを介して、前記カラム処理部に供給することにより、前記複数の異なる行の共有画素から同時に読み出された前記電気信号を重み付け加算して、前記カラム処理部に供給する
請求項２に記載のイメージセンサ。
【請求項１１】
光電変換によって電気信号を出力する複数の画素を有する２個以上の共有画素が２次元に配列された画素アレイ部と、
前記共有画素の配列のうちの、複数行の共有画素から同時に読み出される電気信号を処理するカラム処理部と
を備えるイメージセンサの前記共有画素が有する前記画素から前記電気信号を読み出すためのアクセス制御として、前記複数行のうちの１の行と他の１の行とで、異なるアクセス制御を行う
制御方法。
【請求項１２】
光を集光する光学系と、
光を受光し、画像を撮像するイメージセンサと
を備え、
前記イメージセンサは、
光電変換によって電気信号を出力する複数の画素を有する２個以上の共有画素が２次元に配列された画素アレイ部と、
前記共有画素の配列のうちの、複数行の共有画素から同時に読み出される電気信号を処理するカラム処理部と、
前記共有画素が有する前記画素から前記電気信号を読み出すためのアクセス制御として、前記複数行のうちの１の行と他の１の行とで、異なるアクセス制御を行う行制御部と
を有する
電子機器。
【手続補正２】
【補正対象書類名】明細書
【補正対象項目名】０００６
【補正方法】変更
【補正の内容】
【０００６】
ところで、現在提案されている高速撮像のための技術は、１個の画素で、１個のFD(Floating Diffusion)を使用する単位画素を対象としており、複数の画素で、１個のFDを共有（して使用）する共有画素にとって、適切であるとは限らない。
【手続補正３】
【補正対象書類名】明細書
【補正対象項目名】００３７
【補正方法】変更
【補正の内容】
【００３７】
行制御部２２は、画素アレイ部２１の共有画素が有する画素から電気信号を読み出すためのアクセス制御を行う。
【手続補正４】
【補正対象書類名】明細書
【補正対象項目名】００５８
【補正方法】変更
【補正の内容】
【００５８】
さらに、列信号線４２Ｎ及び４２Ｓの一端側としての上側には、カラム処理部２３Ｎが設けられており、他端側としての下側には、カラム処理部２３Ｓが設けられている。
【手続補正５】
【補正対象書類名】明細書
【補正対象項目名】００８４
【補正方法】変更
【補正の内容】
【００８４】
画素は、PD(Photo Diode)６１とFET６２とを有し、光電変換によって電気信号を出力する。
【手続補正６】
【補正対象書類名】明細書
【補正対象項目名】０１９１
【補正方法】変更
【補正の内容】
【０１９１】
ここで、共有画素４１が有する２×４画素の上からi番目で左からj番目の画素の位置を、位置(i,j)と表すとともに、位置(i,j)の画素を、画素#(i,j)と表すこととする。
【手続補正７】
【補正対象書類名】明細書
【補正対象項目名】０２０１
【補正方法】変更
【補正の内容】
【０２０１】
次の第N+1画素ラインの期間の第１フェーズでは、奇数共有画素ラインRNの共有画素４１の位置(2,1)のGb画素から、画素信号が読み出され、列信号線４２Ｎを介して、カラム処理部２３Ｎに供給されてAD変換される。
【手続補正８】
【補正対象書類名】明細書
【補正対象項目名】０２０９
【補正方法】変更
【補正の内容】
【０２０９】
次の第N+3画素ラインの期間の第１フェーズでは、奇数共有画素ラインRNの共有画素４１の位置(4,1)のGb画素から、画素信号が読み出され、列信号線４２Ｎを介して、カラム処理部２３Ｎに供給されてAD変換される。
【手続補正９】
【補正対象書類名】明細書
【補正対象項目名】０２２４
【補正方法】変更
【補正の内容】
【０２２４】
すなわち、図１４では、第N画素ラインの期間の第１フェーズにおいて、奇数共有画素ラインRNの共有画素４１から、図中、白抜きで示すように、位置(1,1)と(3,1)のR画素の画素信号をFD加算した加算信号としての画素信号が読み出され、列信号線４２Ｎを介して、カラム処理部２３Ｎに供給されてAD変換される。
【手続補正１０】
【補正対象書類名】明細書
【補正対象項目名】０２２８
【補正方法】変更
【補正の内容】
【０２２８】
次の第N+1画素ラインの期間の第１フェーズでは、奇数共有画素ラインRNの共有画素４１の位置(2,1)と(4,1)のGb画素の画素信号をFD加算した加算信号としての画素信号が読み出され、列信号線４２Ｎを介して、カラム処理部２３Ｎに供給されてAD変換される。
【手続補正１１】
【補正対象書類名】明細書
【補正対象項目名】０３２１
【補正方法】変更
【補正の内容】
【０３２１】
一方、シングルカラム構成の図２１のイメージセンサ２では、カラム処理部８１が2X個のADCを有するので、それぞれがX個のADC５２Ｎ及び５２Ｓを有するカラム処理部２３Ｎ及び２３Ｓで構成されるマルチカラム構成の図２のイメージセンサ２に比較して、カラム処理部８１が有するADCどうしの間に余裕がなく、設計がシビアになるが、画素信号のAD変換を行うカラム処理部がカラム処理部８１の１個だけなので、２個のカラム処理部２３Ｎ及び２３Ｓを有するマルチカラム構成の図２のイメージセンサ２に比較して、回路面積を小にすることができる。
【手続補正１２】
【補正対象書類名】明細書
【補正対象項目名】０３２９
【補正方法】削除
【補正の内容】
【手続補正１３】
【補正対象書類名】明細書
【補正対象項目名】０３３０
【補正方法】削除
【補正の内容】